(57)【要約】【課題】照明器具の交換、補修不要の夜間使用可能なスケッチ板、案内板、広告塔を提供する。【解決手段】導光板体を使ってスケッチ装置、案内板、広告塔に用いる。導光板体の光源は半導体であるから永久的に使用可能である故、補修、交換の手間は必要ない。フィルムレンズで集光して、拡散板にて一様な均質な強力な放射光が得られる。  太陽電池を備えて、昼間充電しておくから夜間の電源消費を賄うことができる。導光板体を並べていけば、大型のデスプレイを作ることができる。【選択図】  図１
2005084668.tif 000002
【特許請求の範囲】
【請求項１】
透光性アクリル樹脂、反射板、シルクスクリーンドット、フィルムレンズ、拡散板、光源等より構成する導光板体の上面に図面、書類、画用紙等の筆記材をおく手段、
夜間、暗い場所でスケッチ板として使用することを特徴とする導光板体を使用したスケッチ装置。
【請求項２】
前記請求項において、導光板体面上に案内書画、広告文章、絵画等をおいて夜間、暗い個所で案内、広告塔に使用することを特徴とする導光板体を使用したスケッチ装置。
【発明の詳細な説明】
【技術分野】
【０００１】  本発明は、導光板体を使ったスケッチ装置、案内板、広告塔に関するもので、装置の内部より均一な光が照射するので、夜間、暗い個所での使用に適するものである。
【背景技術】
【０００２】  従来、夜間とか暗い室内に案内板、広告板を設ける際には外部照明装置を使ったり、案内板の中に電球、蛍光灯を設けていた。これらの照明灯は点、棒状の光源であるから均一の照明でないから照明に斑がでて見にくかった。又、夜間、暗い個所、美術館等でスケッチする際、手元が暗くて字を書いたり、絵を描くことは難しかった。【０００３】
【特許文献１】特許願第３６９２４０号
【特許文献２】特許願第３７７４４７号
【特許文献３】特許願第号２００３−２０５５２３
【発明の開示】
【発明が解決しようとする課題】
【０００４】  そのため次のような問題点があった。暗いところでのスケッチは、手元に懐中電灯のような照明器具が必要である。照明器具を持ちながらスケッチしたり、工事現場で図面のチェックは使い勝手が悪かった。【０００５】  美術館、図書館においては閲覧、観覧者が照明器具を持込むのを禁止している所もある。街から外れた場所にある広告塔、案内板は夜間には照明灯のないものは機能しなかった。電球、蛍光灯を照明器具に使った場合、切れたりすることが往々にあってメンテナンスの経費がかさんでいた。本発明は以上の問題点を解決しようとするものである。
【課題を解決するための手段】
【０００６】  導光板体をつかってスケッチ装置、案内板、広告塔に使用する。導光板体の光源は半導体である発光ダイオードであるから永久的に使用に耐える。電球、蛍光灯のように交換の必要はないから、人手はかからない。【０００７】  かつ、導光板体は集光レンズ、拡散板より構成されているから、低消費電力で均一な高輝度光を放射するから、本目的には好適である。
【発明の効果】
【０００８】  本発明は、照明灯のない夜間での作業、暗い場所の案内板、広告塔に威力を発揮する。電球、蛍光灯はよく切れるので補修に多額の経費がかかった。本発明では半導体光源をつかっているから、照明灯の交換、補修の手間は必要ない。【０００９】  導光板体によって強力な、均一な照明が得られるから広告の場合鮮明で綺麗に照射できる。夜間の工事現場での図面チェック、工事進捗の工程チェックを円滑に行うことができる。
【発明を実施するための最良の形態】
【第１実施形態】
【００１０】  図１は、第１実施形態であるスケッチ装置の全体構成図を示す。普通スケッチ装置は、画用紙をおいて絵とか図面を描くものである。暗い場所、夜間にスケッチ行う際には、懐中電灯のような照明器具が必要になる。
【００１１】  本発明では、スケッチ装置自体が発光するから夜間、暗い個所での作業に最適である。図１において、１１は導光板体を使ったスケッチ装置本体であって、１２は導光板体の光拡散板である。
【００１２】  １３は太陽電池である。スケッチ装置を昼間使用中に太陽光が１３にあたって、導光板体の電源に充電する。夜間、暗い個所での使用は、昼間の充電でまかなうことができる。
【第２実施形態】
【００１３】  図２は、第２実施形態を示す。図２において２１は導光板体を使ったスケッチ装置本体であって、２２を細かく区分けして配置した導光板体である。２３は、充電用の太陽電池であって、２４は２２を制御するスイッチである。
【００１４】  導光板体２２は、区分けされているので必要に応じて消したり点灯したりできる。どの部分をつけたり、消したりするかは２４のスイッチで決定できる。用途によっては、部分的に点灯して使った方が良い場合がある。
【００１５】  図３は、導光板体の電源部を示す。３１は太陽電池、３２は導光板体の光源であって図では発光ダイオードを示す。３３は電池である。昼間又は明るい場所では、３１の太陽電池から、３３の電池に充電して電源を蓄える。図３の電源部は、前記図１、図２のスケッチ装置に設けてある。
【００１６】  図４は、導光板体の原理と内部構成図を示す。図において、４３は透光性のアクリル樹脂で適当な個所に切り込み（エッジ）がある。このエッジは、光源４７から放射する光４８を４３に導き、エッジに当たると反射して４５のフィルムレンズによって集光される。
【００１７】  フィルムレンズによって集光した光は、４６の拡散板によって一様に４９の拡散光になって上部を照明する。
【００１８】  ４１は、反射板で光源４７から発した光を反射して４５のフィルムレンズをとうして４５の拡散板によって、４９の一様の拡散光になる。４２はシルクドット印刷であって、４１の反射板と供に、迷光して４３の下部にきた光を反射して輝度を強調する役割がある。
【第３実施形態】
【００１９】  図５は、第３実施形態をしめす。導光体板を使ったスケッチ装置５２にて、夜間の工事現場で建設技術者５１が図面５３を広げて現場の様子をチェックしている。５５は工事中の建物であって、５４は工事用のトラックである。
【第４実施形態】
【００２０】  図６は、第４実施形態を示す。図１、図２のスケッチ装置を適当な個所に吊るして案内板、広告板に使った例である。６１はスケッチ装置であって、６２は導光板体を示す。図示してないが、必要に応じて電源充電用の太陽電池を設ける。昼間充電しておけば、夜は電池の放電で照明電源を賄うことができる。
【００２１】  ６３は吊るし紐であって、案内、広告、ちょっとしたお知らせに使用できて、利便性はよい。スケッチ板として使用して、必要があれば案内板、広告板にも使える。導光板体より構成されているから、夜間、暗い個所での案内に最適である。
【第５実施形態】
【００２２】  図７は、本装置を広告塔に使った例を示す第５実施形態を示す。７１は広告塔であって、７２は導光板体、７３は電源充電用の太陽電池を示す。７２は照明装置である。案内の内容、広告は透過性の部材、透明マイラー、透明なプラスチック材に絵、図案、文章を書いて７２に貼り付ける。
【００２３】  あるいは、７２の上に液晶パネルをおいて、７１に無線受信装置を設けて広告を遠隔地より送ったり、動画、ＴＶを写して観客を集めてもよい。
【００２４】  ホット・スポット内に７１をおけば、微弱無線にて多様な情報を送って７１に表示できる。７１を大型画面にしたいときには、図２のように導光板体２２を多数並べて、大型画面を作ることができる。
【図面の簡単な説明】
【００２５】
【図１】第１実施形態のスケッチ装置を示す図である。
【図２】第２実施形態のスケッチ装置を示す図である。
【図３】太陽電池と導光板体の電源部を示す図である。
【図４】導光板体の原理を示す図である。
【図５】第３実施形態のスケッチ装置使用例を示す図である。
【図６】第４実施形態のスケッチ装置使用例を示す図である。
【図７】第５実施形態の広告塔を示す図である。
【符号の説明】
【００２６】１１、２１、６１          スケッチ装置
１２、２２、６２、７２    導光板体
１３、２３、３１、７３    太陽電池、ソーラ・パネル
３２                      光源、発光ダイオード
３３                      電池
４１                      導光板体反射板
４２                      シルクスクリーンドット印刷
４３                      透光性アクリル樹脂
４４                      切込み、エッジ
４５                      フィルムレンズ
４６                      拡散板
４７                      光源
４８                      光路
４９                      拡散光
５１                      人、技術者
５２                      導光板体スケッチ板
５３                      図面
５４                      工事トラック
５５                      工事現場
６３                      吊るし紐
７１                      広告塔
【図１】
2005084668.tif 000003
【図２】
2005084668.tif 000004
【図３】
2005084668.tif 000005
【図４】
2005084668.tif 000006
【図５】
2005084668.tif 000007
【図６】
2005084668.tif 000008
【図７】
2005084668.tif 000009